(57)【要約】【課題】板金立体アンテナの製造に必要な金属平板の面積を削減することができる、新規な構造のアンテナ装置を提供すること。【解決手段】板金立体アンテナ３８の平板部４０が、長さ方向の複数箇所で屈曲されることにより、平板部４０によって囲繞された空間５２が構成されている一方、板金立体アンテナ３８の脚部４４が、空間５２に面する平板部４０の内周縁部５４から突出して設けられており、脚部４４が、プリント基板１８側に屈曲される前の状態で、空間５２内に突出して且つ平板部４０に干渉しない部位に設けられているようにした。【選択図】図２
2020031318.tif 000002
【特許請求の範囲】
【請求項１】
一面に無線受信回路を備えたプリント基板と、
前記プリント基板の前記一面から離隔して配置される平板部と、該平板部の長さ方向に直交する方向に突出して前記プリント基板側に屈曲されて該プリント基板上に立設されて前記平板部を該プリント基板上に支持する脚部とを有する板金立体アンテナとを備え、
前記平板部の前記長さ方向の一端側に設けられた接続部が前記無線受信回路に接続されてなるアンテナ装置において、
前記板金立体アンテナの前記平板部が、前記長さ方向の複数箇所で屈曲されることにより、前記平板部によって囲繞された空間が構成されている一方、
前記板金立体アンテナの前記脚部が、前記空間に面する前記平板部の内周縁部から突出して設けられており、
前記脚部が、前記プリント基板側に屈曲される前の状態で、前記空間内に突出して且つ前記平板部に干渉しない部位に設けられている
ことを特徴とするアンテナ装置。
【請求項２】
前記接続部が、前記空間に面する前記平板部の前記内周縁部から突出して設けられており、前記接続部が、前記プリント基板側に屈曲される前の状態で、前記空間内に突出して且つ前記平板部に干渉しない前記部位に設けられている請求項１に記載のアンテナ装置。
【請求項３】
前記プリント基板と該プリント基板に実装された前記板金立体アンテナを収容する合成樹脂製のケースをさらに含んでおり、少なくとも前記平板部が、前記ケースに埋設されて一体化されている請求項１または２に記載のアンテナ装置。
【請求項４】
前記板金立体アンテナの前記脚部と前記接続部も含んで前記ケースに埋設されている請求項３に記載のアンテナ装置。
【請求項５】
前記板金立体アンテナにおいて、前記平板部が、前記空間の周囲を囲繞する外周部と、該外周部から前記空間の内部に突出して延びる内周部を含んで構成されており、該内周部の幅寸法が、前記外周部の幅寸法よりも小さくされている請求項３または４に記載のアンテナ装置。
【発明の詳細な説明】
【技術分野】
【０００１】
本発明は、板金立体アンテナを用いたアンテナ装置に関するものである。
【背景技術】
【０００２】
近年、自動車のドアの解錠および施錠を、キー穴にキーを差し込むことなく行えるリモートキーレスエントリシステムが広く採用されている。かかるシステムは、乗員が携帯する送信用のリモートキーや送受信用のスマートキーを用い、これらのキーから送信する信号を無線受信回路に板金立体アンテナが接続されて構成されたアンテナ装置で受信し、受信した信号をアンテナ装置に接続された、ドアロック制御部に送信して、ドアロック機構を自動制御することにより、ドアの解錠および施錠を行っている。
【０００３】
ところで、このようなシステムを構成するアンテナ装置として、例えば、特開２０１８−９３３４１号公報（特許文献１）の図２に記載されているように、無線受信回路を備えたプリント基板に対して、金属平板を所望の形状にプレス打ち抜きして一部を屈曲することにより構成された板金立体アンテナを実装した構造のものが知られている。かかる板金立体アンテナは、プリント基板の一面から離隔して配置される平板部と、平板部の長さ方向に直交する方向に突出してプリント基板側に屈曲されてプリント基板上に立設されて平板部をプリント基板上に支持する複数の脚部を含んでおり、平板部の一端側に設けられた接続部がプリント基板に設けられた無線受信回路に接続されるようになっている。
【０００４】
ところが、このような板金立体アンテナは、平板部の長さ方向に直交する方向に突出してプリント基板側に屈曲される複数の脚部を含んでいることから、板金立体アンテナを展開状態でプレス打ち抜きする際に必要な金属平板の面積が大きくなることが避けられず、コスト高となることが避けられなかった。しかも、リモートキーレスエントリシステムでは、用いられる周波数が、例えば３００〜４００ＭＨｚと低いことから、板金立体アンテナの長さは、受信電波の波長λの少なくともλ／４以上である約２０〜２５ｃｍは必要である。それゆえ、板金立体アンテナの平板部の長さを確保するために、板金立体アンテナを展開状態でプレス打ち抜きするために必要な金属平板の面積を削減することには限界があり、何らかの対策が求められていた。
【先行技術文献】
【特許文献】
【０００５】
【特許文献１】特開２０１８−９３３４１号公報
【発明の概要】
【発明が解決しようとする課題】
【０００６】
本発明は、上述の如き事情を背景に為されたものであって、その解決課題は、板金立体アンテナの製造に必要な金属平板の面積を削減することができる、新規な構造のアンテナ装置を提供することにある。
【課題を解決するための手段】
【０００７】
本発明の第一の態様は、一面に無線受信回路を備えたプリント基板と、前記プリント基板の前記一面から離隔して配置される平板部と、該平板部の長さ方向に直交する方向に突出して前記プリント基板側に屈曲されて該プリント基板上に立設されて前記平板部を該プリント基板上に支持する脚部とを有する板金立体アンテナとを備え、前記平板部の前記長さ方向の一端側に設けられた接続部が前記無線受信回路に接続されてなるアンテナ装置において、前記板金立体アンテナの前記平板部が、前記長さ方向の複数箇所で屈曲されることにより、前記平板部によって囲繞された空間が構成されている一方、前記板金立体アンテナの前記脚部が、前記空間に面する前記平板部の内周縁部から突出して設けられており、前記脚部が、前記プリント基板側に屈曲される前の状態で、前記空間内に突出して且つ前記平板部に干渉しない部位に設けられていることを特徴とする。
【０００８】
本態様によれば、板金立体アンテナの平板部を長さ方向の複数箇所で屈曲して形成することにより、平板部の長さ寸法を大きく確保しつつコンパクトに板金立体アンテナを構成することができる。しかも、平板部が複数箇所で屈曲されることにより構成された平板部によって囲繞された空間部分を利用して、脚部の構成領域を確保することができる。すなわち、空間部分に面する平板部の内周縁部から空間内に突出して且つ平板部に干渉しない部位に脚部を設けることで、金属平板から板金立体アンテナを展開状態でプレス打ち抜きする際に、平板部によって囲繞された空間を利用して脚部の構成領域を確保することができるのである。これにより、歩留まり良く板金立体アンテナを製造することができ、板金立体アンテナをプレス打ち抜きするために必要な金属平板の面積を有利に削減することができる。なお、平板部の長さ方向の一端側に設けられた接続部は、平板部の長さ方向に延び出していてもよいし、平板部の内周縁部から空間部分に延び出していてもよい。
【０００９】
本発明の第二の態様は、前記第一の態様に記載のものにおいて、前記接続部が、前記空間に面する前記平板部の前記内周縁部から突出して設けられており、前記接続部が、前記プリント基板側に屈曲される前の状態で、前記空間内に突出して且つ前記平板部に干渉しない前記部位に設けられているものである。
【００１０】
本態様によれば、板金立体アンテナの接続部も、平板部に囲繞された空間部分を利用して構成することができる。それゆえ、金属平板から板金立体アンテナをプレス打ち抜きする際に、プリント基板上に離隔して配置される平板部の長さ寸法をより大きく確保しつつ、脚部や接続部に必要な領域を平板部に囲繞された空間を利用して確保することができ、一層コンパクト且つ歩留まりよく板金立体アンテナを製造することができる。
【００１１】
本発明の第三の態様は、前記第一または第二の態様に記載のものにおいて、前記プリント基板と該プリント基板に実装された前記板金立体アンテナを収容する合成樹脂製のケースをさらに含んでおり、少なくとも前記平板部が、前記ケースに埋設されて一体化されているものである。
【００１２】
本態様によれば、板金立体アンテナにおいて、受信機能のメイン領域となる少なくとも平板部が、板金立体アンテナを収容する合成樹脂製のケースに埋設されて一体化されている。これにより、板金立体アンテナが受信する電磁波の波長を空気中に比して樹脂の比誘電率の２乗根分の一に短くすることができることから、板金立体アンテナに必要とされる長さを短くでき、板金立体アンテナの小型化やコストの低減を図ることが可能となる。なお、板金立体アンテナの平板部の少なくとも一部がケースに埋設されていればよく、平板部の全体が埋設されていてもよい。
【００１３】
本発明の第四の態様は、前記第三の態様に記載のものにおいて、前記板金立体アンテナの前記脚部と前記接続部も含んで前記ケースに埋設されているものである。
【００１４】
本態様によれば、板金立体アンテナの平板部に加えて、さらに脚部や接続部までも含んでケースに埋設されている。これにより、一層板金立体アンテナに必要とされる長さを短くすることができる。
【００１５】
本発明の第五の態様は、前記第三または第四の態様に記載のものにおいて、前記板金立体アンテナにおいて、前記平板部が、前記空間の周囲を囲繞する外周部と、該外周部から前記空間の内部に突出して延びる内周部を含んで構成されており、該内周部の幅寸法が、前記外周部の幅寸法よりも小さくされているものである。
【００１６】
本態様によれば、平板部が空間を囲う外周部と、空間の内部に突出する内周部を含んでおり、内周部の幅寸法が外周部の幅寸法よりも小さくされている。これにより、空間を利用してさらに平板部の長さを確保することができ、一層省スペース性に優れた板金立体アンテナを構成することができる。
【００１７】
さらに、板金立体アンテナの少なくとも平板部をケースに埋設する際に、平板部の全体に及ぼされる樹脂圧を、幅寸法が小さくされた内周部において有利に逃がすことができ、モールド成形時の板金立体アンテナの浮き上がりを有利に防止して、板金立体アンテナの保持部を少なくすることができる。
【００１８】
なお、好ましくは、平板部の内周部の幅寸法は外周部の幅寸法の７５％以下、より好ましくは６５％以下、さらに好ましくは５０％以下とされていることが望ましい。幅寸法が小さくなるに連れ、モールド成形時の長尺の平板部の保持が安定するからである。
【発明の効果】
【００１９】
本発明によれば、板金立体アンテナの平板部を長さ方向の複数箇所で屈曲することにより、平板部の長さ寸法を大きく確保しつつコンパクトに板金立体アンテナを構成できる。しかも、平板部によって囲繞された空間部分を利用して、脚部の構成領域を確保できる。すなわち、空間部分に面する平板部の内周縁部から空間内に突出して且つ平板部に干渉しない部位に脚部を設けることで、平板部によって囲繞された空間を利用して脚部の構成領域を確保できるのである。これにより、歩留まり良く板金立体アンテナを製造でき、立体アンテナをプレス打ち抜きするために必要な金属平板の面積を有利に削減できる。
【図面の簡単な説明】
【００２０】
【図１】本発明の一実施形態としてのアンテナ装置を示す分解斜視図。
【図２】図１に示す板金立体アンテナの斜視図（（ａ）展開図、（ｂ）脚部と接続部が屈曲された状態の図）。
【図３】図１に示すアンテナ装置の組み付け状態の平面図。
【図４】図３におけるＩＶ−ＩＶ断面拡大図。
【発明を実施するための形態】
【００２１】
以下、本発明の実施形態について、図面を参照しつつ説明する。
【００２２】
図１〜４には、本発明の一実施形態としてのアンテナ装置１０が、示されている。図１，４に示されているように、アンテナ装置１０は、例えばポリアミド（ＰＡ）、ポリカーボネート（ＰＣ）、ポリフタルアミド（ＰＰＡ）等の合成樹脂により射出成形等によって形成されたケースとしてのアッパケース１２とロアケース１４の間に、無線受信回路である無線用ＩＣ（Ｉｎｔｅｇｒａｔｅｄ  Ｃｉｒｃｕｉｔ）１６が実装されたプリント基板１８が収容されてなる構造とされている。本実施形態では、無線用ＩＣ１６は、プリント基板１８の一面である表面１７側に実装されている（図４参照）。なお、以下の説明において、特に断りの無い限り、上方とは、図１中の上方、下方とは、図１中の下方、前方とは、図１中の左斜め下方及び図３中の下方、後方とは、図１中の右斜め上方及び図３中の上方を言うものとする。
【００２３】
図１，４に示されているように、アッパケース１２およびロアケース１４は、互いに相手側に向けて開口する略矩形浅底の箱体形状を有している。そして、アッパケース１２とロアケース１４は、例えば、アッパケース１２に設けられた図示しない係止爪が、ロアケース１４の対応する箇所に設けられた図示しない係合枠に挿通されて係合されることにより、相互に組み付けられるようになっている。
【００２４】
ロアケース１４は、図１に示されているように、略矩形平板形状とされた底壁２０の外周縁部に上方に向かって突出する周壁２２が形成された、上方に開口する略箱体形状とされている。そして、ロアケース１４の底壁２０の四隅には、上方に向かって略三角断面形状で突出するプリント基板支持リブ２４が設けられている。一方、プリント基板支持リブ２４に近接する周壁２２の内面には、周方向の両側において、略一定の突出寸法で内方に向かって突出すると共に底壁２０からプリント基板支持リブ２４の突出先端部を越えて上方に向かって延びるプリント基板圧接リブ２６が形成されている。かかるプリント基板圧接リブ２６の突出先端面２８は、上方に向かって内方への突出寸法が減少するテーパ面とされている。
【００２５】
また、図１に示されているように、周壁２２の外周面の上側には、略全周に亘って略矩形断面形状で延びるフランジ状部３４が設けられている。さらに、図１，４に示されているように、ロアケース１４には、板金立体アンテナ３８がインサート成形されている。これにより、アッパケース１２とロアケース１４の間にプリント基板１８と共に板金立体アンテナ３８が収容されている。図２（ｂ）に示されているように、かかる板金立体アンテナ３８は、平板部４０と、平板部４０の長さ方向の一端側に設けられた接続部４２と、平板部４０の長さ方向の中間部分に設けられた脚部４４を有している。そして、平板部４０が全体に亘ってロアケース１４の底壁２０内に埋設されている（図４参照）一方、接続部４２および脚部４４の基端側（図１中、下側）が、ロアケース１４の底壁２０から周壁２２の内面に沿って突設された略矩形ブロック形状の支持部４６ａ，４６ｂに対して埋設されている（図１，４参照）。このように、板金立体アンテナ３８の接続部４２と脚部４４もケースを構成するロアケース１４に埋設されている。なお、板金立体アンテナ３８の接続部４２と脚部４４の先端側は先細状のリード部４８ａ，４８ｂとされており、支持部４６ａ，４６ｂに対して埋設されずに支持部４６ａ，４６ｂから外方（図１中、上方）に向かって突出されている。
【００２６】
また、図２（ａ）に示されているように、このような板金立体アンテナ３８は、例えば銅板等の表面に予め錫等のめっきが施された略矩形平板状の金属平板５０がプレス打ち抜き加工等によって切り出されることにより形成されている。なお、図２（ａ）では、理解を容易とするために、金属平板５０を仮想線で記載している。図２（ａ）に示されているように、板金立体アンテナ３８を構成する平板部４０は、接続部４２の基端部から延び出す外周部４０ａと、外周部４０ａの延出端部から延び出す内周部４０ｂを含んで構成されている。より詳細には、外周部４０ａは、接続部４２の基端部から長さ方向の３箇所で左方向に９０度屈曲されることにより、略矩形ループ形状に形成されており、外周部４０ａによって囲繞された空間５２が平面視で略矩形状に構成されている。平板部４０はさらに、外周部４０ａの長さ方向の先端部から空間５２の内部に向かって突出した後平面視で略コ字状に延びる内周部４０ｂを含んで構成されており、かかる内周部４０ｂの幅寸法：Ｗｂは、外周部４０ａの幅寸法：Ｗａよりも小さく構成されている（Ｗｂ＜Ｗａ）。なお、内周部４０ｂの幅寸法：Ｗｂは、外周部４０ａの幅寸法：Ｗａの好ましくは７５％以下、より好ましくは６５％以下、さらに好ましくは５０％以下とされ、本実施形態では、およそ６５％となっている。
【００２７】
一方、図２（ａ）に示されているように、板金立体アンテナ３８の脚部４４は、平板部４０の外周部４０ａにおいて空間５２に面する外周部４０ａの内周縁部５４から空間５２内に向かって突出して形成されている。すなわち、脚部４４がプリント基板１８側に屈曲される前の状態（図２（ａ）参照）で、空間５２内に突出して且つ平板部４０に干渉しない部位に設けられている。しかも、板金立体アンテナ３８の接続部４２もまた、空間５２に面する外周部４０ａの内周縁部５４から突出して設けられており、接続部４２がプリント基板１８側に屈曲される前の状態で、空間５２内に突出して且つ平板部４０に干渉しない部位に設けられている。
【００２８】
そして、図２（ａ）に示されているようにプレス打ち抜き加工等によって切り出された板金立体アンテナ３８の接続部４２と脚部４４を、図２（ｂ）に示されているように上方に向かって屈曲した後、ロアケース１４の成形型にインサート品として収容し、ロアケース１４がモールド成形されることにより、図１に示されているようにロアケース１４に対して板金立体アンテナ３８が埋設されたロアケース１４が完成される。このように成形されたロアケース１４内には、１本の接続部４２と２本の脚部４４の先端部に設けられたリード部４８ａ，４８ｂが上方に向かって突出されている。
【００２９】
続いて、プリント基板１８を、表面１７を下に向けた状態で、ロアケース１４の上方開口部５６を覆蓋するように押し込む（図１参照）。これにより、プリント基板１８の表面１７の四隅がプリント基板支持リブ２４上に載置されると共に、プリント基板１８の四隅の近傍がプリント基板圧接リブ２６によって内方に向かって押圧されるようになっている。したがって、プリント基板１８をプリント基板支持リブ２４上に安定的に載置可能となっている。かかる状態で、板金立体アンテナ３８の接続部４２は、プリント基板１８のスルーホール５８ａに挿通されており、半田付けを行うことによりプリント基板１８の表面１７に実装された無線用ＩＣ１６と電気的に接続されている。しかも、板金立体アンテナ３８の２本の脚部４４がプリント基板１８のスルーホール５８ｂに挿通されていることから、半田付けを行うことにより板金立体アンテナ３８をプリント基板１８の表面１７上に安定して立設可能となっており、かかる状態で板金立体アンテナ３８がプリント基板１８に実装されている。なお、プリント基板１８のスルーホール５８ａ，５８ｂに対する半田付けは例えばロボット半田付け装置等を用いて実施されている。
【００３０】
以上のことから分かるように、板金立体アンテナ３８を構成する平板部４０は、プリント基板１８の表面１７から離隔した状態で配置されているのである。すなわち、脚部４４が、平板部４０の長さ方向に直交する方向に突出してプリント基板１８側に屈曲された状態でプリント基板１８上に立設されることにより、平板部４０がプリント基板１８上に支持されているのである。
【００３１】
最後に、ロアケース１４の上方からアッパケース１２を覆蓋することにより、アンテナ装置１０が完成されるようになっている。アッパケース１２は、図１に示されているように、略矩形平板形状とされた天壁６０の外周縁部に下方に向かって突出する周壁６２が形成された、下方に開口する略箱体形状とされている。
【００３２】
このような構造とされたアンテナ装置１０によれば、板金立体アンテナ３８を構成する平板部４０が、接続部４２が設けられた長さ方向の一端側から延出して長さ方向の３箇所で左方向に９０度屈曲されることにより全体として略矩形ループ形状を呈する外周部４０ａを有している。かかる外周部４０ａによって平板部４０の長さ寸法を大きく確保しつつ、板金立体アンテナ３８自体をコンパクトに形成することが可能とされている。また、板金立体アンテナ３８を構成する脚部４４は、外周部４０ａによって囲繞された平面視で略矩形状の空間５２に面する外周部４０ａの内周縁部５４から突設されている。しかも、脚部４４は、プリント基板１８側に屈曲される前の状態（図２（ａ）参照）で、空間５２内に突出して且つ平板部４０に干渉しない部位に設けられている。それゆえ、金属平板５０から板金立体アンテナ３８を展開状態でプレス打ち抜きする際に、外周部４０ａによって囲繞された空間５２を利用して脚部４４の構成領域を確保することができるようになっている。これにより、板金立体アンテナ３８をプレス打ち抜きするために必要な金属平板５０の面積を有利に削減することができることから、コンパクト且つ歩留まり良く板金立体アンテナ３８を製造することができる。
【００３３】
さらに、板金立体アンテナ３８の接続部４２もまた、空間５２に面する外周部４０ａの内周縁部５４から突出して設けられており、接続部４２がプリント基板１８側に屈曲される前の状態（図２（ａ）参照）で、空間５２内に突出して且つ平板部４０に干渉しない部位に設けられている。すなわち、板金立体アンテナ３８の接続部４２も、平板部４０の外周部４０ａによって囲繞された空間５２を利用して構成できる。それゆえ、金属平板５０から板金立体アンテナ３８をプレス打ち抜きする際に、平板部４０の長さ寸法を大きく確保しつつ、脚部４４や接続部４２に必要な領域をかかる空間５２を利用して確保することができ、一層コンパクト且つ歩留まりよく板金立体アンテナ３８を製造することができる。
【００３４】
加えて、板金立体アンテナ３８において、主として受信機能を担う平板部４０が、板金立体アンテナ３８を収容する合成樹脂製のロアケース１４内に埋設されている。この結果、板金立体アンテナ３８が受信する電磁波の波長を空気中に比して合成樹脂の比誘電率の２乗根分の一に短くすることができる。これにより、板金立体アンテナ３８において受信機能を担う平板部４０を短くできることから、板金立体アンテナ３８の小型化やコストの低減が可能となっている。しかも、本実施形態においては、板金立体アンテナ３８の平板部４０に加えて、脚部４４や接続部４２の基端側までもロアケース１４内に埋設されている。これにより、一層板金立体アンテナ３８の小型化やコストの低減が可能となっている。
【００３５】
また、板金立体アンテナ３８を構成する平板部４０は、接続部４２と連結する箇所から略矩形ループ形状で延びる外周部４０ａと、かかる外周部４０ａの長さ方向の先端部から空間５２の内部に向かって突出した後平面視で略コ字状に延びる内周部４０ｂと、を含んで構成されている。しかも、かかる内周部４０ｂの幅寸法：Ｗｂは、外周部４０ａの幅寸法：Ｗａよりも小さく構成されている（Ｗｂ＜Ｗａ）。かかる内周部４０ｂにより、空間５２内において平板部４０をより長く形成することができることから、一層省スペース性に優れた板金立体アンテナ３８を構成できる。さらに、内周部４０ｂの幅寸法：Ｗｂが外周部４０ａの幅寸法：Ｗａよりも小さく構成されていることから、板金立体アンテナ３８の平板部４０をインサートしてロアケース１４をモールド成形する際に、平板部４０全体に及ぼされる樹脂圧を、幅寸法が小さくされた内周部４０ｂは外周部４０ａに比して有利に逃がすことができる。それゆえ、モールド成形時の板金立体アンテナ３８の浮き上がりを有利に防止して、モールド成形時に板金立体アンテナ３８を保持する金型の保持部を少なくすることができる。
【００３６】
以上、本発明の実施形態について説明してきたが、かかる実施形態における具体的な記載によって、本発明は、何等限定されるものでない。例えば、上記実施形態では、板金立体アンテナ３８の接続部４２も、脚部４４と同様、空間５２に面する外周部４０ａの内周縁部５４から空間５２内に突出して設けられていたが、平板部４０の長さ方向の一端側から長さ方向（図２（ａ）中、左斜め上方）に向かって延び出すように構成されていてもよい。かかる構成としても、接続部４２に必要な領域を金属平板５０内に確保することが可能とされることから（図２（ａ）参照）、同様にコンパクト且つ歩留まりよく板金立体アンテナ３８を製造することができる。また、例えば、上記実施形態では、板金立体アンテナ３８の平板部４０に加えて、脚部４４や接続部４２の基端側までもロアケース１４内に埋設されていたが、平板部４０のみが全体としてロアケース１４内に埋設されていてもよいし、平板部４０の一部のみがロアケース１４内に埋設されていてもよい。この場合でも同様に、板金立体アンテナ３８の小型化やコストの低減の効果が見込まれる。
【００３７】
加えて、例えば、上記実施形態では、内周部４０ｂの幅寸法：Ｗｂは、外周部４０ａの幅寸法：Ｗａのおよそ６５％となっていたが、７５％以下であれば、埋設する際に平板部４０全体に及ぼされる樹脂圧を外周部４０ａに比して有利に逃がすことができる。それゆえ、モールド成形時の板金立体アンテナ３８の浮き上がりを有利に防止して、モールド成形時に板金立体アンテナ３８を保持する金型の保持部を少なくすることができる。また、上記実施形態では、ケースたるアッパケース１２とロアケース１４を有する例について説明を行ったが、かかるケースがないものも本発明に含まれることは言うまでもない。
【符号の説明】
【００３８】
１０：アンテナ装置、１２：アッパケース（ケース）、１４：ロアケース（ケース）、１６：無線用ＩＣ（無線受信回路）、１７：表面（一面）、１８：プリント基板、３８：板金立体アンテナ、４０：平板部、４０ａ：外周部、４０ｂ：内周部、４２：接続部、４４：脚部、５２：空間、５４：内周縁部
【図１】
2020031318.tif 000003
【図２】
2020031318.tif 000004
【図３】
2020031318.tif 000005
【図４】
2020031318.tif 000006